【手続補正書】
【提出日】平成27年11月12日(2015.11.12)
【手続補正１】
【補正対象書類名】特許請求の範囲
【補正対象項目名】全文
【補正方法】変更
【補正の内容】
【特許請求の範囲】
【請求項１】
第１の請求書データを含む第１の請求書を発行する商人に指定された商人識別コードを第１のコードスキャナからアプリケーションサーバーにおいて受信し、
前記第１の請求書の支払を行う最初の試みについて選択された第１の支払手段に関するデータを前記第１のコードスキャナから前記アプリケーションサーバーにおいて受信し、
前記第１の請求書データの少なくとも一部分を前記第１のコードスキャナから前記アプリケーションサーバーにおいて受信し、
前記商人識別コード、前記第１の支払手段に関するデータ、及び前記第１の請求書データの少なくとも一部分を処理することで前記第１の請求書の支払が成功であったか不成功であったか前記アプリケーションサーバーにおいて決定し、
前記第１の請求書の支払の最初の試みが成功であったか不成功であったか指示する第１の状態データを前記アプリケーションサーバーから第１のコードスキャナへ送信し、
前記第１のコードスキャナのユーザに関連したユーザプロフィールを前記アプリケーションサーバーのデータ記憶装置内に記憶し、及び
前記コードスキャナの要求で、前記アプリケーションサーバーに記憶された前記ユーザプロフィールを、前記コードスキャナに記憶されたユーザプロフィールと同期させる、
ことを含む方法。
【請求項２】
前記ユーザプロフィールを第２のコードスキャナへ送信するための要求を前記アプリケーションサーバーで受信し、
前記ユーザプロフィールを前記アプリケーションサーバーから前記第２のコードスキャナへ送信する、
ことを更に含む、請求項１に記載の方法。
【請求項３】
前記第１の請求書の識別子及び前記第１の請求書に関して支払った金額を前記アプリケーションサーバーから商人サーバーへ送信することを更に含む、請求項１に記載の方法。
【請求項４】
前記ユーザプロフィールは、前記アプリケーションサーバーからコードスキャナへのユーザプロフィールの送信を許可するためのセキュリティデータを含み、
前記ユーザプロフィールを送信する要求は、前記セキュリティデータを含み、前記アプリケーションサーバーは、前記ユーザプロフィールを第２のコードスキャナへ送信する前に、前記要求におけるセキュリティデータが前記ユーザプロフィールにおけるセキュリティデータに一致することを決定する、請求項１に記載の方法。
【請求項５】
別のコードスキャナの少なくとも１つの他のユーザに関連した少なくとも１つの他のユーザプロフィールを前記アプリケーションサーバーのデータ記憶装置内に記憶する、
ことを更に含み、前記少なくとも１つの他のユーザプロフィールの各々は、そのユーザプロフィールに関連したユーザの請求書の支払をするためのデータを含む、請求項１に記載の方法。
【請求項６】
前記第１のコードスキャナのユーザに関連したユーザプロフィールを変更するためのデータを前記アプリケーションサーバーで受信し、
前記データ記憶装置において、前記ユーザプロフィールを変更するためのデータを含むように前記ユーザプロフィールを変更し、及び
前記変更されたユーザプロフィールを前記データ記憶装置に記憶する、
ことを更に含む、請求項１に記載の方法。
【請求項７】
前記商人識別コード、第１の支払手段に関するデータ、及び第１の請求書データの少なくとも一部分を支払プロセッサへ送信する、
ことを更に含み、前記商人識別コード、第１の支払手段に関するデータ、及び第１の請求書データの少なくとも一部分の処理は、前記支払プロセッサにおいて行われる、請求項１に記載の方法。
【請求項８】
前記支払プロセッサは、前記アプリケーションサーバーから離れたところにある、請求項７に記載の方法。
【請求項９】
前記支払プロセッサは、前記アプリケーションサーバー内にある、請求項７に記載の方法。
【請求項１０】
請求書のクイック応答（ＱＲ）コードをデコードするためのスキャナアプリケーションを前記アプリケーションサーバーから前記第１のコードスキャナへ送信する、
ことを更に含み、前記商人識別コードは、前記第１の請求書のＱＲコード内にエンコードされる、請求項１に記載の方法。
【請求項１１】
プロセッサと、
コンピュータ読み取り可能なプログラムインストラクションを含むデータ記憶装置と、
第１のコードスキャナから、（ｉ）第１の請求書データを含む第１の請求書を発行する商人に指定された商人識別コード、（ｉｉ）第１の請求書の支払を行う最初の試みについて選択された第１の支払手段に関するデータ、及び（ｉｉｉ）第１の請求書データの少なくとも一部分を受け取るためのネットワークインターフェイスと、
を備え、
前記プログラムインストラクションは、前記商人識別コード、前記第１の支払手段に関するデータ、及び前記第１の請求書データの少なくとも一部分を処理することで第１の請求書の支払が成功であったか不成功であったか決定するために前記プロセッサにより実行可能であり、
前記プログラムインストラクションは、前記ネットワークインターフェイスが第１の状態データを前記第１のコードスキャナへ送信するようにさせるために前記プロセッサにより実行可能であり、
前記第１の状態データは、第１の請求書の支払の最初の試みが成功であったか不成功であったか指示し、
前記データ記憶装置は、前記第１のコードスキャナのユーザに関連したユーザプロフィールを記憶し、
前記プログラムインストラクションは、前記アプリケーションサーバーが、前記データ記憶装置に記憶された前記ユーザプロフィールを、前記コードスキャナから受信したユーザプロフィールと同期させるように、前記プロセッサにより実行可能である、
アプリケーションサーバー。
【請求項１２】
前記ネットワークインターフェイスは、前記ユーザプロフィールを第２のコードスキャナへ送信するための要求を受信し、
前記ネットワークインターフェイスは、前記ユーザプロフィールを前記第２のコードスキャナへ送信する、
請求項１１に記載のアプリケーションサーバー。
【請求項１３】
前記ユーザプロフィールは、前記アプリケーションサーバーからコードスキャナへのユーザプロフィールの送信を許可するためのセキュリティデータを含み、
前記ユーザプロフィールを送信する要求は、前記セキュリティデータを含み、前記アプリケーションサーバーは、前記ユーザプロフィールを前記第２のコードスキャナへ送信する前に、前記要求における前記セキュリティデータが前記ユーザプロフィールにおける前記セキュリティデータに一致することを決定する、
請求項１１に記載のアプリケーションサーバー。
【請求項１４】
前記データ記憶装置は、別のコードスキャナの少なくとも１つの他のユーザに関連した少なくとも１つの他のユーザプロフィールを記憶し、
前記少なくとも１つの他のユーザプロフィールの各々は、前記ユーザプロフィールに関連した前記ユーザの請求書の支払をするためのデータを含む、請求項１１に記載のアプリケーションサーバー。
【請求項１５】
前記ネットワークインターフェイスは、前記第１のコードスキャナのユーザに関連したユーザプロフィールを変更するためのデータを受信し、
前記プロセッサは、前記ユーザプロフィールを変更するためのデータで前記ユーザプロフィールを変更し、及び
前記データ記憶装置は、前記変更されたユーザプロフィールを記憶する、
請求項１１に記載のアプリケーションサーバー。
【請求項１６】
前記ネットワークインターフェイスは、商人識別コード、第１の支払手段に関するデータ、及び第１の請求書データの少なくとも一部分を支払プロセッサへ送信し、
前記商人識別コード、第１の支払手段に関するデータ、及び第１の請求書データの少なくとも一部分の処理は、前記支払プロセッサにおいて行われる、
請求項１１に記載のアプリケーションサーバー。
【請求項１７】
前記ネットワークインターフェイスは、請求書のクイック応答（ＱＲ）コードをデコードするためのスキャナアプリケーションを前記第１のコードスキャナへ送信し、
前記商人識別コードは、前記第１の請求書のＱＲコード内にエンコードされる、請求項１１に記載のアプリケーションサーバー。